(57)【要約】      （修正有）【課題】地まつげとまつげエクステンションとの間の接着持続力を向上させる。【解決手段】まつげエクステンション１００の取付け方法であり、銀、白金、金、シルク、ケラチンおよびアクリレーツコポリマーからなる群から選択された成分を少なくとも一つ含む塗布溶液３０を、人間５５の地まつげ５０に塗布した後、人工まつげ本体部１０を、接着剤１７を介して人間のまつげに固定させる。【選択図】図２
2015059280.tif 000002
【特許請求の範囲】
【請求項１】
まつげエクステンションの取付け方法であって、
銀、白金、金、シルク、ケラチンおよびアクリレーツコポリマーからなる群から選択された成分を少なくとも一つ含む塗布溶液を、人間のまつげに塗布する工程と、
先端部と末端部とを有する人工まつげ本体部を、接着剤を介して、前記人間のまつげに固定させる工程と
を含む、取付け方法。
【請求項２】
前記塗布溶液の前記成分は、前記人間のまつげのキューティクルの隙間に侵入する寸法を有しており、
前記接着剤は、前記人工まつげ本体部の末端部に付与される、請求項１に記載の取付け方法。
【請求項３】
さらに、前記塗布溶液は、前記人工まつげ本体部の少なくとも末端部に塗布される、請求項１または２に記載の取付け方法。
【請求項４】
前記塗布溶液は、水およびエタノールの少なくとも一つを含んでいる、請求項１から３の何れか一つに記載の取付け方法。
【請求項５】
前記成分は、銀、シルクおよびケラチンからなる群から選択される少なくとも一つである、請求項１から４の何れか一つに記載の取付け方法。
【請求項６】
前記塗布溶液は、銀ナノ粒子を含む溶液である、請求項１から４に記載の取付け方法。
【請求項７】
前記塗布溶液は、綿棒で付与される、請求項１から６の何れか一つに記載の取付け方法。
【請求項８】
まつげエクステンション用の施術器具であって、
まつげに塗布する塗布溶液を保存する容器本体部と、
前記塗布溶液を前記まつげに塗布する塗布部と
を備え、
前記塗布溶液は、銀、白金、金、シルク、ケラチンおよびアクリレーツコポリマーからなる群から選択された成分を少なくとも一つ含んでいる、施術器具。
【請求項９】
前記まつげは、人間のまつげであり、
前記成分は、前記人間のまつげのキューティクルの隙間に侵入する寸法を有している、請求項８に記載の施術器具。
【請求項１０】
前記塗布溶液は、水およびエタノールの少なくとも一つを含んでいる、請求項８または９に記載の施術器具。
【請求項１１】
前記成分は、銀、シルクおよびケラチンからなる群から選択される少なくとも一つである、請求項８から１０の何れか一つに記載の施術器具。
【請求項１２】
前記塗布溶液は、銀ナノ粒子を含む溶液である、請求項８から１０の何れか一つに記載の施術器具。
【請求項１３】
前記塗布部は、綿棒である、請求項８から１２の何れか一つに記載の施術器具。
【請求項１４】
前記容器本体部は、ビン形状を有しており、
前記容器本体部の上部には、前記塗布溶液を導入可能な開口部を有するビン口部が
形成されており、
前記ビン口部には、前記開口部を塞ぐ蓋部が取り付けられており、
前記蓋部には、前記塗布部が取り付けられている、請求項８から１２の何れか一つに記載の施術器具。
【請求項１５】
前記塗布部は、前記塗布部を支持する支持棒によって前記蓋部に固定されており、
前記ビン口部の外面と、前記蓋部のうちの前記ビン口部の外面に対応する部位には、それぞれネジ部が形成されている、請求項１４に記載の施術器具。
【請求項１６】
前記容器は、ペン形状を有しており、
前記容器本体部は、円筒形状を有しており、
前記塗布部は、前記容器本体部から延びた円錐部の先端に配置されている、請求項８から１２に記載の施術器具。
【発明の詳細な説明】
【技術分野】
【０００１】
本発明は、まつげエクステンション用の取り付け方法に関する。特に、地まつげとまつげエクステンションとの間の接着持続力を向上させるための取り付け方法に関する。また、本発明は、まつげエクステンション用の施術器具に関し、特に、地まつげとまつげエクステンションとの間の接着持続力を向上させるためのまつげエクステンション用の施術器具に関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂まつげエクステンション（以下、「まつげエクステ」と称する。）と呼ばれる人工まつげが提案されている（例えば、特許文献３など）。このまつげエクステ（人工まつげ）は、まぶたには接着せずに、接着剤を用いてまつげに直接接着するため、装着感が良く、皮膚がかぶれるおそれが少ない。また、まつげエクステは、まつげ一本に対して一本ずつ接着するので、つけまつげに比べて自然な感じでまつげに長さやボリュームを与えることができる。
【０００４】
まつげエクステは、接着剤を用いて、まつげ（地まつげ）に取り付けるので、接着剤の接着強度を上げることにより、まつげエクステが取れにくくすることが可能である。
【先行技術文献】
【特許文献】
【０００５】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００６】
図１０（ａ）から（ｃ）は、まつげエクステ１０００を、使用者５５のまつげ５０に取り付ける典型的な方法を説明する図である。まず、図１０（ａ）に示すように、まつげエクステ１０００（人工まつげ本体部１１０）の一部をピンセット６０で掴み、そしてエクステ１０００の末端部１１５に接着剤（グルー）１１７を塗布した状態で、まつげエクステ１０００をまつげ５０の近くに持っていく。
【０００７】
次に、図１０（ｂ）に示すように、まつげエクステ１０００の接着剤１１７をまつげ５０に付けて、まつげエクステ１０００をまつげ５０に密着させる。そして、接着剤１１７が硬化して、まつげエクステ１０００がまつげ５０に固定されたならば、図１０（ｃ）に示すように、ピンセット６０を外して、まつげエクステ１０００の取り付けが完了する。この作業を各まつげ５０について行う。
【０００８】
本願発明者が検討したところによると、接着強度が強い成分を含む接着剤１１７を用いても、まつげエクステ１０００とまつげ（地まつげ）５０との接着持続性（両者が外れるまでの期間）が延びないことがあった。接着強度がさらに強い成分が入った接着剤１１７を用いた場合、使用者５５への皮膚のかぶれなどの影響を考慮する必要が強まってくる。
【０００９】
人間（５５）のまつげ（地まつげ）５０には、接着剤の接着強度が弱まる原因となる脂質がある。まつげエクステ１０００の取り付けの施術前には、エタノールなどで脂質を除去する脱脂処理を行うが、脂質をきれいに落としても、化粧品の汚れなどが残っていると、それによって接着強度は弱くなってしまう。
【００１０】
そのような汚れの存在を考慮して、接着強度を大幅に向上させたいとしたら、まつげエクステ用接着剤１１７ではなく、工業用や家庭用接着剤などでまれに使用する溶剤系のプライマーなどを使用することが考えられる。しかしながら、そのようなプライマーは、人体に有害性があるために使用することができない。したがって、まつげエクステ１０００とまつげ（地まつげ）５０との接着持続性（両者が外れるまでの期間）を向上させるのには、厳しい制約がかけられており、画期的な有効な手段がないのが実情である。
【００１１】
本発明はかかる点に鑑みてなされたものであり、その主な目的は、地まつげとまつげエクステとの間の接着持続力を向上させるためのまつげエクステの取り付け方法を提供することにある。
【課題を解決するための手段】
【００１２】
本発明に係るまつげエクステンションの取付け方法は、銀、白金、金、シルク、ケラチンおよびアクリレーツコポリマーからなる群から選択された成分を少なくとも一つ含む塗布溶液を、人間のまつげに塗布する工程と、先端部と末端部とを有する人工まつげ本体部を、接着剤を介して、前記人間のまつげに固定させる工程とを含む。
【００１３】
ある好適な実施形態において、前記塗布溶液の前記成分は、前記人間のまつげのキューティクルの隙間に侵入する寸法を有しており、前記接着剤は、前記人工まつげ本体部の末端部に付与される。
【００１４】
ある好適な実施形態では、さらに、前記塗布溶液は、前記人工まつげ本体部の少なくとも末端部に塗布される。
【００１５】
ある好適な実施形態において、前記塗布溶液は、水およびエタノールの少なくとも一つを含んでいる。
【００１６】
ある好適な実施形態において、前記成分は、銀、シルクおよびケラチンからなる群から選択される少なくとも一つである。
【００１７】
ある好適な実施形態において、前記塗布溶液は、銀ナノ粒子を含む溶液である。
【００１８】
ある好適な実施形態において、前記塗布溶液は、綿棒で付与される。
【００１９】
本発明に係るまつげエクステンション用の施術器具は、まつげに塗布する塗布溶液を保存する容器本体部と、前記塗布溶液を前記まつげに塗布する塗布部とを備え、前記塗布溶液は、銀、白金、金、シルク、ケラチンおよびアクリレーツコポリマーからなる群から選択された成分を少なくとも一つ含んでいる。
【００２０】
ある好適な実施形態において、前記まつげは、人間のまつげであり、前記成分は、前記人間のまつげのキューティクルの隙間に侵入する寸法を有している。
【００２１】
ある好適な実施形態において、前記塗布溶液は、水およびエタノールの少なくとも一つを含んでいる。
【００２２】
ある好適な実施形態において、前記成分は、銀、シルクおよびケラチンからなる群から選択される少なくとも一つである。
【００２３】
ある好適な実施形態において、前記塗布溶液は、銀ナノ粒子を含む溶液である。
【００２４】
ある好適な実施形態において、前記塗布部は、綿棒である。
【００２５】
ある好適な実施形態において、前記容器本体部は、ビン形状を有しており、前記容器本体部の上部には、前記塗布溶液を導入可能な開口部を有するビン口部が形成されており、前記ビン口部には、前記開口部を塞ぐ蓋部が取り付けられており、前記蓋部には、前記塗布部が取り付けられている。
【００２６】
ある好適な実施形態において、前記塗布部は、前記塗布部を支持する支持棒によって前記蓋部に固定されており、前記ビン口部の外面と、前記蓋部のうちの前記ビン口部の外面に対応する部位には、それぞれネジ部が形成されている。
【００２７】
ある好適な実施形態において、前記容器は、ペン形状を有しており、前記容器本体部は、円筒形状を有しており、前記塗布部は、前記容器本体部から延びた円錐部の先端に配置されている。
【発明の効果】
【００２８】
本発明に係るまつげエクステンションの取付け方法では、銀、白金、金、シルク、ケラチンおよびアクリレーツコポリマーからなる群から選択された成分を少なくとも一つ含む塗布溶液を、人間のまつげ（地まつげ）に塗布した後、先端部と末端部とを有する人工まつげ本体部を、接着剤を介して、前記人間のまつげに固定させる。その結果、塗布溶液の当該成分が、人間のまつげのキューティクルの隙間に侵入するので、脂質や化粧品の汚れなどが地まつげに付いており、地まつげと接着剤（グルー）との間の接着力が低下している場合でも、塗布溶液の当該成分が接着剤との親和性を向上させることができる。したがって、地まつげと人工まつげ本体部（まつげエクステンション）との接着持続力（接着持続期間）を向上させることができる。
【００２９】
また、本発明によれば、既存の接着剤よりも接着強度が弱い接着剤を使用しても、地まつげと人工まつげ本体部との間の接着持続性を保つことができる。したがって、使用する接着剤の種類を広げることができ、その結果、使用者への皮膚のかぶれなどの影響がありそうな刺激の強い接着剤を避けて、まつげエクステンションを使用している人の快適性をあげることができる。つまり、本発明によると、従来の技術と比較して、まつげエクステと地まつげとの接着持続性（両者が外れるまでの期間）を延ばすことができる。
【００３０】
加えて、塗布溶液は人工まつげ本体部（まつげエクステンション）に塗布することもできる。その場合、脂質や化粧品の汚れなどが人工まつげ本体部に付いているときでも、塗布溶液の当該成分が接着剤との親和性を向上させることができるので、地まつげと人工まつげ本体部（まつげエクステンション）との接着強度を向上させることができる。
【図面の簡単な説明】
【００３１】
【図１】本発明の実施形態に係るまつげエクステンション１００の構成を示す斜視図である。
【図２】（ａ）から（ｃ）は、まつげエクステンション１００をまつげ５０に取り付ける方法を説明する図である。
【図３】まつげエクステンション１００を上まつげ５０に取り付けた状態を示す図である。
【図４】地まつげ（人毛）４３におけるキューティクル４６の隙間４８に接着持続力アップ成分４０が入り込んだ様子を模式的に示す図である。
【図５】（ａ）および（ｂ）は、接着持続力アップ成分４０を含む溶液３０に、塗布部２２を含む施術器具２０を浸す工程を説明する図である。
【図６】（ａ）および（ｂ）は、本発明の実施形態に係る接着持続力アップ成分４０を含む溶液３０を収容可能な施術器具３１の構成を示す斜視図である。
【図７】本発明の実施形態に係るペン型施術器具７０の構成を示す斜視図である。
【図８】本発明の実施形態における接着持続力アップ成分４０の効果を示す実験データである。
【図９】本発明の実施形態における接着持続力アップ成分４０の効果を示す実験データである。
【図１０】（ａ）および（ｂ）は、まつげエクステンション１０００をまつげ５０に取り付ける方法を示す図である。
【発明を実施するための形態】
【００３２】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００３３】
図１から図３を参照しながら、本発明の実施形態に係るまつげエクステンション１００について説明する。本実施形態におけるまつげエクステンション１００は、使用者のまつげの長さを延長する人工まつげである。なお、本実施形態では、まつげエクステンション（または、エクステンション用まつげ）を「まつげエクステ」と称する。
【００３４】
図１は、本実施形態のエクステンション１００の構成を示す斜視図である。図２（ａ）から（ｃ）は、本実施形態のまつげエクステンション１００をまつげ５０に取り付ける方法を説明する図である。また、図３は、まつげエクステ１００を上まつげ５０に取り付けた状態を示す図である。
【００３５】
本実施形態のまつげエクステ１００は、先端部１１と末端部１５とを有する人工まつげ本体部１０から構成されている。本実施形態の構成では、人工まつげ本体部１０は、樹脂から構成されている。具体的には、本実施形態の人工まつげ本体部１０は、化学繊維から構成されている。本実施形態の人工まつげ本体部１０を構成する樹脂（化学繊維）としては、例えば、ポリブチレンテレフタレート、ポリエステル、アクリル、塩化ビニール、ナイロンを挙げることができる。この例の人工まつげ本体部１０は、ポリブチレンテレフタレート（ＰＢＴ）から構成されているが、他の樹脂材料から構成されていてもよい。
【００３６】
また、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。着色剤（または染色剤）は、天然染料や合成染料の他、蛍光染料などである。
【００３７】
また、本実施形態の人工まつげ本体部１０は、樹脂以外に、天然素材のものを使用してもよい。例えば、人工まつげ本体部１０は、獣毛（例えば、ミンクの毛）であるが、他の獣毛を用いても構わない。なお、樹脂由来のまつげエクステ以外のものとしては、ここで挙げた獣毛の他、動物由来の材料（典型的には、人毛、シルクなど）、植物由来の材料（典型的には綿）を使用することも可能である。また、タンパク質を含んだ化学繊維から構成された人工まつげ本体部１０を用いることも可能である。
【００３８】
本実施形態の人工まつげ本体部１０は、まつげ型の形状を有している。具体的には、人工まつげ本体部１０の末端部１５の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１５の端面１５ａの直径（または厚さ）は例えば０．０７ｍｍ〜０．３ｍｍである。本実施形態のまつげエクステ１００では、末端部１５に接着剤（グルー）が付けられる。そして、まつげエクステ１００は、接着剤によって、使用者のまつげに接着されて固定される。
【００３９】
なお、本実施形態の人工まつげ本体部１０の形状は、図１に示したものに限定されるものではなく、人工まつげ本体部１０は平べったい形状であっても構わない。または、人工まつげ本体部１０の末端部１５が丸く変形していてもよい。さらには、人工まつげ本体部１０の表面を削っても構わない。
【００４０】
次に、図２（ａ）から（ｃ）を参照しながら、本実施形態のまつげエクステ１００をまつげ５０に取り付ける方法を説明する。
【００４１】
まず、図２（ａ）に示すように、塗布溶液３０を含んだ塗布部２２を、使用者（人間）５５のまつげ５０に接触させることによって、塗布溶液３０をまつげ５０に塗布する。この例では、塗布器具は綿棒２０であり、塗布部２２は、綿棒の軸棒２１の先端である。綿棒（塗布器具）２０の塗布部２２でまつげ５０の表面をこすることにより（矢印６５参照）、塗布溶液３０中の成分（接着持続力アップ成分）を、まつげ５０の表面に付与することができる。
【００４２】
本実施形態の塗布溶液３０は、銀、白金、金、シルク、ケラチンおよびアクリレーツコポリマーからなる群から選択された成分なくとも一つ含む溶液である。さらに説明すると、本実施形態の塗布溶液３０は、ナノ粒子の金属（銀粒子など）、または、加水分解された低分子のタンパク質（シルクなど）、または、ポリマーの共重合体（アクリレーツコポリマー）の成分の少なくとも一つを含んでいる。本実施形態の塗布溶液３０に含まれている成分（銀など）は、人間のまつげ５０のキューティクルの隙間に侵入する寸法を有している。また、本実施形態の塗布溶液３０に含まれている成分は、接着剤の接着持続力アップ成分として機能する。
【００４３】
本実施形態における塗布溶液３０に含まれている成分（接着持続力アップ成分、または、接着補助成分）は、例えば、銀ナノ粒子を含む溶液である。本実施形態のナノ粒子とは、例えば、１ミクロン（１０００ナノメートル）以下の微粒子である。銀を含む溶液としては、例えば、銀ナノ粒子を含む溶液、銀コロイド溶液、銀イオン水などが挙げられる。なお、銀イオン（Ａｇ＋）は、原子としての銀（Ａｇ）から電子が外れた陽イオンとして存在している銀イオンのことであり、大きさは銀原子とほぼ同じで２００ピコメートル程度のいわゆる原子の大きさである。銀ナノ粒子は、銀をナノメートルのオーダーにした粒子である。また、鉱物であるアルミナシリカに微粒子化した銀イオンを保持させた銀ナノ粒子を用いることも可能である。銀コロイド粒子は、コロイド状の銀粒子であり、例えば、脱イオン化された電解液中で半永久的に浮遊状態（コロイド状態）を保持されているものである。銀コロイド粒子の直径は、例えば、０．０００１μｍのものもあり、その場合は、毛髪の太さ（８０μｍ）の８０万分の１の大きさに該当する。
【００４４】
なお、銀イオンは、抗菌剤としての機能を有しているので、銀イオンを含む塗布溶液３０の場合、抗菌効果を持たせることができる。銀イオンは、各種の細菌の細胞に強く吸着し、細菌の細胞酵素をブロッキングして死滅させることができる。したがって、銀イオンによって細菌の繁殖を制御することができる。また、銀イオンは、抗菌効果が比較的強い特徴を有するとともに、人体に対して極めて安全性が高いという特徴を有しているので、間違って人間の口に入ったとしても、銀イオンによる問題は実質的に生じない利点がある。
【００４５】
また、本実施形態における塗布溶液３０は、銀を含む溶液以外に、例えば、金（金ナノ粒子）を含む溶液（例えば、金コロイド溶液）、白金（白金ナノ粒子）を含む溶液（製品名：白金玄水５００（アイノベックス株式会社製））を用いることができる。白金を含む溶液は、例えば、白金コロイド溶液などである。白金コロイド溶液には、白金の微粒子によって形成されたコロイド状態の粒子が含有されている。金コロイド溶液、白金コロイド溶液、銀ナノ溶液における粒子の粒径は、１μｍ（１０００ｎｍ）以下のものである。本実施形態においてナノ粒子とは、粒径がナノオーダー（例えば、１〜１００ｎｍ、または、１〜１０００ｎｍ）の粒子のことを称することがあり、１ｎｍ以下の粒子を含む場合もある。このナノ粒子は、比表面積が極めて大きいこと等により、一般的な大きさの固体（バルク）の材料とは異なる性質を示すことがあり、その特性の一つとして、抗菌性を示す場合、抗菌剤として利用することができる。
【００４６】
なお、本実施形態における塗布溶液３０に含まれている成分（接着持続力アップ成分）が、シルクである場合には、シルクは、低分子シルク（加水分解シルク）である。ここで低分子シルクとは、加水分解されていない高分子シルクに対して、低分子のシルクを意味しており、具体的な分子量によって規定されているものではない。なお、低分子シルクは、人間のまつげ５０のキューティクルの隙間に侵入する寸法のものであることが好ましい。さらに、低分子のタンパク質として、低分子シルクの他に、ケラチン（低分子ケラチン、加水分解ケラチン）を用いることができる。加えて、アクリレーツコポリマー（acrylates copolymer）を用いることも可能である。アクリレーツコポリマーは、アクリル酸アルキル(Ｃ１−Ｃ４)、メタクリル酸アルキル(Ｃ１−Ｃ４)、アクリル酸又はメタクリル酸のうち２種以上のモノマーで構成される共重合体のことである。
【００４７】
まつげ５０に塗布溶液３０を付けた後は、同じく図２（ａ）に示すように、本実施形態のまつげエクステ１００（人工まつげ本体部１０）の一部をピンセット６０で掴み、そして末端部１５に接着剤１７を塗布した状態で、まつげエクステ１００をまつげ５０の近くに持っていく。なお、まつげエクステ１００の方に接着剤１７を付けるのが通常であるが、まつげ５０に接着剤１７を付けても構わない。
【００４８】
次に、図２（ｂ）に示すように、まつげエクステ１００の接着剤１７を、まつげ５０に付けて、まつげエクステ１００をまつげ５０に密着させる。そして、接着剤１７が硬化して、抗菌まつげエクステ１００がまつげ５０に固定されたならば、図２（ｃ）に示すように、ピンセット６０を外して、まつげエクステ１００の取り付けが完了する。この作業を各まつげ５０について行う。
【００４９】
本実施形態に係るまつげエクステ１００の取付け方法では、銀、白金、金、シルク、ケラチンおよびアクリレーツコポリマーからなる群から選択された成分を少なくとも一つ含む塗布溶液３０を、人間５５のまつげ（地まつげ）５０に塗布する。その後、まつげエクステ１００を構成する人工まつげ本体部１０を、接着剤（グルー）１７を介して、人間５５のまつげ５０に固定させる。その結果、塗布溶液３０の当該成分が、人間５５のまつげ５０のキューティクルの隙間に侵入するので、脂質や化粧品の汚れなどが地まつげ５０に付いており、まつげ５０と接着剤（グルー）１７との間の接着力が低下している場合でも、塗布溶液３０の当該成分が接着剤１７との親和性を向上させることができる。したがって、地まつげ５０と人工まつげ本体部１０（まつげエクステンション１００）との接着持続力（接着持続期間）を向上させることができる。
【００５０】
このように、本実施形態の手法によれば、地まつげ５０と人工まつげ本体部１０との接着持続力を向上させることができるので、既存の接着剤（１７）よりも接着持続力が弱い接着剤（１７）を使用しても、地まつげ５０と人工まつげ本体部１０との間の接着持続性を保つことが可能となる。したがって、使用可能な接着剤１７の種類を広げることができ、その結果、使用者５５への皮膚のかぶれなどの影響がありそうな刺激の強い接着剤（１７）を避けることができ、それゆえに、まつげエクステ１００を使用している人５５の快適性をあげることができる。もちろん、工業用や家庭用接着剤などでまれに使用する溶剤系のプライマーなどを使用しなくてもよいので、人体に有害性のあるものを使用しなくても、まつげエクステ１００と地まつげ１０との接着持続性（両者が外れるまでの期間）を延ばすことができる。
【００５１】
また、図２（ａ）から（ｃ）では、塗布溶液３０をまつげ５０に付与したが、それだけでなく、塗布溶液３０は人工まつげ本体部１０（まつげエクステ１００）に塗布することもできる。その場合、脂質や化粧品の汚れなどが人工まつげ本体部１０に付いているときでも、塗布溶液３０の当該成分が接着剤１７との親和性を向上させることができるので、それによっても、地まつげ５０と人工まつげ本体部１０との接着持続力を向上させることができる。
【００５２】
図３は、上まつげ５０のそれぞれにまつげエクステ１００を取り付けた様子を示している。図３に示すように、数多くのまつげ５０にまつげエクステ１００が取り付けられる。まつげエクステ１００の接着持続力（及び／又は接着強度）が弱い場合、一部のまつげエクステ１００が短い期間で取れてしまうため問題となる。したがって、まつげエクステ１００の接着持続力（及び／又は接着強度）が強くなることで、各まつげエクステ１００が長期間とれなくなることの技術的意義は非常に大きいものである。
【００５３】
図４は、地まつげ５０におけるまつげ表面４３のキューティクル４６の隙間４８に成分（接着持続力アップ成分）４０が侵入して、そこで固定されている様子を、模式的に示す拡大図である。なお、この図は、イメージ的に示しているものであり、必ずしもこの通りに成分（接着持続力アップ成分）４０がまつげ表面４３に付着しているとは限らない。
【００５４】
図５（ａ）および（ｂ）は、銀のような金属粒子（または、シルク）などの成分（接着持続力アップ成分）４０を含有する溶液（塗布溶液）３０に、塗布部２２を有する器具（綿棒）２０を浸す工程を説明する図である。
【００５５】
まず、図５（ａ）に示すように、銀のような成分（接着持続力アップ成分）４０を含有する溶液（塗布溶液）３０が入った容器３５を用意する。この例では、銀ナノ粒子を含む溶液（銀ナノ溶液）、銀コロイド溶液、銀イオン水である。ただし、銀の溶液に限らず、
白金、金、シルク、ケラチンおよびアクリレーツコポリマーのいずれか、あるいは、それらの任意の混合物の溶液であってもよい。
【００５６】
塗布溶液３０の溶媒は、水であることが多いが、アルコール（例えば、エタノール）、ケトン溶媒（例えば、アセトン）、及び／又は、界面活性剤を含めることができる。塗布溶液３０において、水、及び／又は、エタノールが主成分のときは、人の肌に悪影響が少ないので好ましい。また、各種成分４０のうち、どのような粒径・寸法のものを、どのような濃度で用いるか、または、どのような溶液３０の溶媒・添加物を使用するか（あるいはどう組み合わせて使うか）は、使用する接着剤１７およびまつげエクステ１００（人工まつげ本体部１０）によって決まるので、それにあわせて適宜好適なものを採用すればよい。
【００５７】
塗布溶液３０とともに、塗布部２２を有する塗布器具２０も準備する。この例では、塗布器具２０は、綿棒であるが、それに限るものではない。例えば、ハケのようなものを用いることができる。あるいは、スポイトのような器具を用いて、塗布溶液３０をまつげ５０に塗布することも可能である。
【００５８】
次に、図５（ｂ）に示すように、塗布部２２を塗布溶液３０の中に入れて、塗布部２２に塗布溶液３０を含ませるようにする。この例の塗布部２２は、綿のような天然繊維から構成されているが、人工化学繊維のものから構成されていてもよいし、あるいは、スポンジのような多孔性材料から構成されていてもよい。そして、塗布部２２に塗布溶液３０を含ませた後は、図２（ａ）に示したように、塗布部２２をまつげ５０に接触させて、まつげ５０の表面に成分４０を付着させることができる。
【００５９】
さらに、本実施形態の塗布用具（施術器具）は、図６（ａ）及び（ｂ）に示すように、塗布部２２と容器３５とを一体型にしたビン形状３１のものにすることができる。
【００６０】
図６（ａ）は、ビン形状の塗布用具（施術器具）の蓋部２５をあけた状態を示している。一方、図６（ｂ）は、ビン形状の塗布用具（施術器具）の蓋部２５を示した状態を示している
【００６１】
本実施形態の施術器具３１は、容器本体部３５と、蓋部２５とから構成されている。容器本体部３５の内部空間３２には、塗布溶液３０が保存されている。また、蓋部２５には、塗布部２２が取り付けられている。
【００６２】
本実施形態の容器本体部３５は、ビン形状を有しており、容器本体部３５の上部には、塗布溶液３０を導入可能な開口部３３を有するビン口部３４が形成されている。また、ビン口部３４には、開口部３３を塞ぐ蓋部２５が取り付けられている。本実施形態の容器本体部３５は、プラスチック材料（例えば、高密度ポリエチレン、ポリプロピレン、ポリエチレンテレフタレート（ＰＥＴ）など）、または、ガラスから構成されている。破損しないという点からは、容器本体部３５は、プラスチック材料から構成されていることが好ましい。
【００６３】
本実施形態の構成では、塗布溶液３０を塗布する塗布部２２は、支持棒２１を介して蓋部２５に取り付けられている。塗布部２２は、ハケまたは筆ペンのような部材である。図示した例では、塗布部２２は、蓋部２５の天面の内部から延びた支持棒２１の先端に取り付けられている。すなわち、塗布部２２は、塗布部２２を支持する支持棒２１によって蓋部２５に固定されている。したがって、蓋部２５を手で持つことにより、支持棒２１の先端に位置する塗布部２２をまつげ５０に接触させることによって、まつげ５０に塗布溶液３０を塗布することができる。
【００６４】
本実施形態の施術器具３１では、ビン口部３４の外面と、蓋部２５のうちのビン口部３６の外面に対応する部位２６には、それぞれネジ部（２６、３６）が形成されている。したがって、蓋部２５の支持棒２１をビン口部３４の開口部３３に挿入した後、蓋部２５をビン口部３４に締めることによって、図６（ｂ）に示すように、施術器具３１（または容器本体部３５）を密閉状態にすることができる。この密閉状態であれば、施術器具３１の移動時において、容器本体部３５内の塗布溶液３０が外部に漏れ出すことはない。
【００６５】
さらに、図６では、ビン形状の構成のものを示したが、本実施形態の施術器具（または容器本体部）はそのようなものに限られない。例えば、本実施形態の施術器具は、図７に示すようなペンタイプの構成を有するものであってもよい。
【００６６】
図７に示した施術器具７０では、塗布溶液３０を収容する容器本体部７１は、円筒形状を有している。塗布部７２は、容器本体部７１から延びた円錐部７３の先端に配置されている。この例では、塗布部７２は、筆ペンの先の筆部のような構成となっている。容器本体部７１の内部と塗布部７２とは繋がっており、容器本体部７１の内部に収納された塗布溶液３０は、順次、塗布部７２に供給されていく。塗布溶液３０が順次供給される塗布部７２によって、塗布溶液３０をまつげ５０に塗布することができる。
【００６７】
容器本体部７１の後端には、容器本体部７１の後端開口部を封止する封止部（有底円筒部材）７７が設けられている。封止部７７を外すと、容器本体部７１の後端開口部が露出し、その後端開口部から塗布溶液３０を充填することができる。また、図示した構成例では、円錐部７３および塗布部（筆部）７２を収容するキャップ部７５が取り付けられるようになっている。この例では、円錐部７３の外面と、キャップ部７５の内面とにネジ部（７３ａ、７５ａ）が形成されており、キャップ部７５を円錐部７３に対して回転させることにより、両者を嵌合させることができる。
【００６８】
キャップ部７５は、円錐部７３に回転させて嵌め込む方式でなく、容器本体部７１の長軸方向に沿って入れ込むことで固定できる方式であっても構わない。また、封止部７７は、容器本体部７１に対してねじ切りの回転方式で固定してもよいし、他の方式（例えば、容器本体部７１の長軸方向に沿って差し込む方式）で固定してもよい。図７に示した施術器具７０では、容器本体部７１は円筒形のものを示したが、それに限らず、他の形態のもの（六角筒など）を採用することも可能である。
【００６９】
本実施形態の容器本体部７１は、樹脂製であるが、容器本体部７１を透明なものにして、中に収納されている塗布溶液３０が見えるようにしてもよい。または、容器本体部７１は不透明な材料から構成して、容器本体部７１の一部を透明にして、塗布溶液３０の残量がわかるような構成にすることも可能である。
【００７０】
このペンタイプの施術器具７０では、連続して塗布溶液３０をまつげ５０に塗布することができるので、便利である。また、施術器具７０が細長の形状であるので、収納スペースを大きくとらないので、保管や持ち運びが便利である。
【実施例】
【００７１】
本願発明者は、本実施形態における塗布溶液３０（成分４０）の接着持続力を確認する示す実験を行った。その結果を図８および図９に示す。
【００７２】
本実施例では、被験者１０人（Ａ〜Ｊ）に対して、片目３０本のまつげエクステを左右に付けた後、１４日後のまつげエクステの残数で、接着持続力を評価した。
【００７３】
具体的には、人毛のまつげを洗浄した後に、成分４０（各サンプル：例１〜例７）を含有する塗布溶液４０を人毛のまつげに塗布し、次いで、まつげエクステンションを接着剤で取り付けた。接着剤は、エチルシアノアクリレートを主成分とした接着剤（略称ＶＢＰＳ）を共通して使用した。まつげエクステ（人工毛）は、ポリブチレンテレフタレート製の人工まつげ（略称ＫＳＭＩＸ）を共通して使用した。なお、この接着剤およびまつげエクステは、典型的なものであるので、これを基準にすれば、まつげエクステ業界で使用されている他の接着剤、まつげエクステでも指標になるものである。
【００７４】
ここで、サンプルの例１は、精製水であり、プラセボ（偽薬、コントロール）として使用し、この結果を基準とした。例２は、水＋アクリレーツコポリマーの塗布溶液である。例３は、水＋銀（銀ナノ粒子、ここでは「低分子の銀」とも称する）の塗布溶液である。例４は、水＋金（金ナノ粒子、ここでは「低分子の金」とも称する）の塗布溶液である。例５は、水＋白金（白金ナノ粒子、ここでは「低分子の白金」とも称する）の塗布溶液である。例６は、水＋シルク（加水分解のシルク、ここでは「低分子のシルク」とも称する）の塗布溶液である。そして、例７は、水＋ケラチン（加水分解のケラチン、ここでは「低分子のケラチン」と称する）の塗布溶液である。
【００７５】
そして、接着持続力の結果は、図８に示す通りである。まず、例１の精製水は、１０人の１４日経過後で、まつげエクステの合計残数は１７７本であった。１４日経つと、かなりまつげエクステが取れていることが確認できる。そして、例２〜７の合計残数については、例２は２８１本、例３は４２１本、例４は２３６本、例５は３０９本、例６は３５４本、例７は３３０本であった。
【００７６】
これを順位で表したのが図９である。例１の精製水を基準に増減率を表すと、第１位の例３（銀）は２３７．８５％であり、なんと２倍以上の効果があった。サンプルの例２〜７の中では、例３（銀）が一番持続力アップの効果があることがわかった。
第２位の例６（シルク）は２００．００％であり、２倍の効果があった。概ね例１（銀）と同じ効果があることがわかった。金属微粒子（ナノ粒子）でなくても、目に見えない程度のタンパク質を用いた場合でも、人毛（地まつげ）とまつげエクステとの持続力を向上させることができることがわかった。
第３位の例７（ケラチン）は１８６．４４％であり、ほぼ２倍の効果があった。例７（ケラチン）も、例６（シルク）と同様に、目に見えない程度のタンパク質を用いることで、持続力を伸ばすことができることがわかった。
【００７７】
第４位の例５（白金）は１７４．５８％であり、持続力アップの効果は、例３（銀）よりも弱いものの例６（金）よりも強いことがわかった。
第５位の例２（アクリレーツコポリマー）は１５８．７６％であり、約１．５倍の持続力アップの効果があることがわかった。使用者（人）は毎日洗顔をすることもあり、この成分（アクリレーツコポリマー）は石鹸で簡単に溶解してしまうため、持続力低下が可能性が高いと予想していた。しかし、実際には、約１．５倍もの持続力アップの効果があることがわかった。
第６位の例４（金）は１３３．３３％であり、サンプルの中では持続力アップの効果は一番小さかったが、それでも約１．３倍強の効果があった。
【００７８】
なお、シアノアクリレート系の接着剤において、化学物質であるノルマルヘプタンや水がプライマー効果を発揮することが知られていた。しかし、銀、白金、金などの金属粒子（ナノ粒子）、シルク、ケラチンなどのタンパク質（低分子タンパク質）、そしてコポリマーのような物質が、接着持続力の向上につながるかどうかということは、まつげエクステ業界では全く知られておらず、実際に、地まつげを備えた人（生活する使用者）に実験して確認するまではどのような結果がでるかわからなかった。
【００７９】
本実施例の結果から、本実施形態の成分４０を塗布することで、接着持続力が向上することが確認された。より具体的には、通常、まつげエクステの施術方法では、水を多く含むエタノールや水で、まつげに付いた脂質や汚れを落とすのであるが、その後、本実施形態の成分４０を含む塗布溶液３０を塗布することで、まつげエクステの持続力が伸びることが確認された。
【００８０】
まつげエクステ業界の当業者（専門家）であれば、まつげエクステの持続力を伸ばすには、当然、まつげエクステ用の接着剤の種類を代えて、より強力な接着力を有する接着剤を使うはずである。しかし、いままでの接着剤ではなく、新種類の接着剤を使うことは、まぶたのかぶれ、アレルギーの問題、新たな皮膚病の問題、施術者への影響を検討する必要がある。そして、仮に、接着剤の製造メーカがその品質・影響を保証してくれたとしても、まつげエクステサロンでは、やはり、接着剤の切り替えには躊躇する。
一方、本発明の実施形態の手法によれば、いままでと同じ接着剤を使って、まつげエクステの持続力の延長（まつげエクステ装着期間の延長）を達成することができるので、非常に技術的意義が大きい。また、まつげエクステの表面を粗面化して、それでまつげエクステの持続力を伸ばす手法も考えられなくないが、本発明の実施形態の手法によれば、通常のまつげエクステを使用して、まつげエクステの持続力の延長を達成することができるので、この点でも、非常に技術的意義が大きい。
【００８１】
なお、まつげエクステの表面をエタノールなどで洗浄した後は、その清潔さを保つために、そこに何か別なものを塗布することは、まつげエクステ業界の当業者であれば行わないものであるが、本発明の実施形態の手法では、あえて、業界の常識に反するようなことを実行し、そして、まつげエクステの持続力の延長を達成できることを見いだした。加えて、本発明の実施形態の手法によれば、所定の成分４０を含む溶液３０を塗布するだけで、まつげエクステの持続力の延長することができるので、非常に簡便に実行できるとともに、それを、まつげエクステの表面をエタノールなどで洗浄する直後に行えば、地まつげを拭く動作と地まつげに塗布する動作を連続して行うことができるので、施術の動作もスムーズに行うことができ、まつげエクステ取り付けの作業（スループット）にほとんど影響を与えない利点もある。
【００８２】
以上、本発明を好適な実施形態により説明してきたが、こうした記述は限定事項ではなく、勿論、種々の改変が可能である。例えば、塗布溶液３０の成分４０は、銀（または低分子シルク）の単体だけでなく、適宜、混合して使用することができ、２種類を混合してもよいし、３種類以上の混合を行ってもよい。金をベースにしながら、銀および／またはシルクで持続力を補強したような塗布溶液３０を構成することも可能である。また、水、アクリレーツコポリマー、ケラチンの混合物からなる溶媒に、銀粒子（ナノ粒子）をベースにした塗布溶液３０にすることもできる。さらには、市販されている美容液に、本実施形態の成分４０を添加して、本実施形態の塗布溶液３０を作製することも可能である。
【００８３】
図３に示した例では、上まつげ５０にまつげエクステ１００を装着したが、下まつげにエクステ１００を装着しても構わない。なお、図２に示した人工まつげ本体部１０などでは、断面が円形であるものを示したが、それに限らず、楕円形（または実質的に楕円形または長円形）のものであっても構わない。加えて、人工まつげ本体部１０の断面を多面形（六角形、八角形など）にすることも可能であるし、断面を星形（六角形の星形、八角形の星形）にすることも可能である。
【００８４】
さらには、本発明の実施形態のまつげエクステ１００を、例えば、図２（ａ）から（ｃ）に示した状態において、接着剤１７ではなくて、塗布液体３０を用いて、人工まつげ本体部１０をまつげ５０に仮止めすることも可能である。この仮止めによって、使用者（装着者）５５が、本実施形態のまつげエクステ１００のデザインや付け心地などを確認することができる。
【産業上の利用可能性】
【００８５】
本発明によれば、地まつげとまつげエクステとの間の接着持続力を向上させるためのまつげエクステの取り付け方法を提供することができる。
【符号の説明】
【００８６】
１０   人工まつげ本体部
１７   接着剤
２０   綿棒（施術器具、塗布器具）
２１   軸棒（支持棒）
２２   塗布部
２５   蓋部
２６   ネジ部
３０   塗布溶液
３１   施術器具（ビンタイプ）
３２   内部空間
３３   開口部
３４   ビン口部
３５   容器本体部（容器）
３６   ビン口部
４０   成分（接着持続力アップ成分）
４６   キューティクル
４８   隙間
５５   使用者
６０   ピンセット
７０   施術器具（ペンタイプ）
７１   容器本体部
７２   塗布部
７３   円錐部
７５   キャップ部
７７   封止部
１００ まつげエクステ（エクステンション用まつげ）
【図１】
2015059280.tif 000003
【図２】
2015059280.tif 000004
【図３】
2015059280.tif 000005
【図４】
2015059280.tif 000006
【図５】
2015059280.tif 000007
【図６】
2015059280.tif 000008
【図７】
2015059280.tif 000009
【図８】
2015059280.tif 000010
【図９】
2015059280.tif 000011
【図１０】
2015059280.tif 000012